(57)【要約】【課題】同軸ケーブルを同軸ケーブルコネクタに接続するにあたり、比較的簡単な作業をもって、同軸ケーブルの内側導体の同軸ケーブルコネクタにおける接続端子部材への接続を、適正かつ確実に行うことができるものとする。【解決手段】同軸ケーブル４０の内側導体４１との接続がなされる接続端子部材５１と、接続端子部５１を支持する絶縁ハウジング部材５２と、絶縁ハウジング部材５２を支持するシェル部材５３とを備えて成り、絶縁ハウジング部材５２が、接続端子部材５１との接続がなされる同軸ケーブル４０の内側導体４１を支える支持部６０と、支持部６０により支えられた同軸ケーブル４０の内側導体４１を間に位置させる一対の案内部６１，６２とを有する。【選択図】図１
2008004469.tif 000002
【特許請求の範囲】
【請求項１】
第１の折曲部を有し、該第１の折曲部が折り曲げられた状態をもって、同軸ケーブルの内側導体との接続がなされる接続端子部材と、
第２の折曲部を有して上記接続端子部材を支持し、上記第２の折曲部が上記第１の折曲部に重なって折り曲げられる絶縁ハウジング部材と、
第３の折曲部を有して上記絶縁ハウジング部材を支持し、上記第３の折曲部が上記第２の折曲部に重なって折り曲げられた状態をもって、上記第２の折曲部に上記第１の折曲部に重なって折り曲げられた状態を維持させるとともに、上記同軸ケーブルの外側導体との接続がなされるシェル部材と、
を備えて構成され、
上記絶縁ハウジング部材が、上記接続端子部材との接続がなされる上記同軸ケーブルの内側導体を支える支持部と、該支持部により支えられた上記同軸ケーブルの内側導体を間に位置させる一対の案内部と、を有することを特徴とする同軸ケーブルコネクタ。
【請求項２】
上記接続端子部材が、上記支持部により支えられる上記同軸ケーブルの内側導体の先端側部分に当接する固定部を有し、上記同軸ケーブルの内側導体の先端側部分を上記固定部と折り曲げられた上記第１の折曲部とにより挟持することを特徴とする請求項１記載の同軸ケーブルコネクタ。
【請求項３】
上記同軸ケーブルの内側導体の先端側部分が上記固定部と折り曲げられた上記第１の折曲部とにより挟持されるとき、上記支持部により支えられる上記同軸ケーブルの内側導体が上記一対の案内部によって該一対の案内部間に位置決めされることを特徴とする請求項２記載の同軸ケーブルコネクタ。
【請求項４】
上記支持部と上記一対の案内部の夫々とがスリットにより分離されており、上記絶縁ハウジング部材に上記支持部と上記一対の案内部の夫々とを相互連結する連結部が設けられていることを特徴とする請求項１，２または３記載の同軸ケーブルコネクタ。
【請求項５】
上記一対の案内部が、上記第２の折曲部が上記第１の折曲部に重なって折り曲げられるとき、折り曲げられた上記第２の折曲部により押圧されて上記支持部に対して変位することを特徴とする請求項４記載の同軸ケーブルコネクタ。
【請求項６】
上記一対の案内部が、上記第２の折曲部が上記第１の折曲部に重なって折り曲げられるとき、折り曲げられた上記第２の折曲部により押圧されて、上記第２の折曲部の折曲方向に直交する方向に折り開かれることを特徴とする請求項１から請求項４までのいずれかに記載の同軸ケーブルコネクタ。
【請求項７】
上記一対の案内部が、上記第２の折曲部が上記第１の折曲部に重なって折り曲げられるとき、折り曲げられた上記第２の折曲部により押圧されて、上記第２の折曲部の折曲方向に直交する方向に折り閉じられることを特徴とする請求項１から請求項４までのいずれかに記載の同軸ケーブルコネクタ。
【請求項８】
固定部及び該固定部から伸びる第１の折曲部を有した接続端子部材と、同軸ケーブルの内側導体に対する支持部及び一対の案内部と第２の折曲部とを有して上記接続端子部材を支持する絶縁ハウジング部材と、第３の折曲部を有して上記絶縁ハウジング部材を支持するシェル部材と、を備えた同軸ケーブルコネクタを用意し、
上記同軸ケーブルの内側導体に、上記一対の案内部の間に位置して上記支持部により支えられるとともに、先端側部分が上記固定部に対応する位置に配される状態をとらせ、
上記第１，第２及び第３の折曲部を、上記第１の折曲部に上記第２の折曲部が重なり、さらに、上記第２の折曲部に上記第３の折曲部が重なる状態をもって折り曲げて、
上記一対の案内部の間に位置して上記支持部により支えられた上記同軸ケーブルの内側導体の先端側部分を、上記固定部と折り曲げられた上記第１の折曲部とにより挟持して、上記同軸ケーブルの内側導体に上記接続端子部材との接続状態をとらせるとともに、折り曲げられた上記第３の折曲部に上記同軸ケーブルの外側導体との接続状態をとらせること、
を特徴とする同軸ケーブル接続方法。
【請求項９】
上記第１，第２及び第３の折曲部を折り曲げるとき、折り曲げられた上記第３の折曲部に、上記第２の折曲部に上記第１の折曲部に重なって折り曲げられた状態を維持させることを特徴とする請求項８記載の同軸ケーブル接続方法。
【請求項１０】
上記第１，第２及び第３の折曲部を折り曲げるとき、上記一対の案内部を、折り曲げられた上記第２の折曲部により押圧して、上記支持部に対して変位させることを特徴とする請求項８または９記載の同軸ケーブル接続方法。
【請求項１１】
上記第１，第２及び第３の折曲部を折り曲げるとき、上記一対の案内部を、折り曲げられた上記第２の折曲部により押圧して、上記第２の折曲部の折曲方向に直交する方向に折り開くことを特徴とする請求項８または９記載の同軸ケーブル接続方法。
【請求項１２】
上記第１，第２及び第３の折曲部を折り曲げるとき、上記一対の案内部を、折り曲げられた上記第２の折曲部により押圧して、上記第２の折曲部の折曲方向に直交する方向に折り閉じることを特徴とする請求項８または９記載の同軸ケーブル接続方法。
【発明の詳細な説明】
【技術分野】
【０００１】
本願の特許請求の範囲に記載された発明は、内側導体とそれを絶縁体を介して包囲する外側導体とが絶縁被覆されて成る同軸ケーブルの内側導体及び外側導体が夫々接続される、互いに絶縁された接続端子及び導電性のシェルを備えた同軸ケーブルコネクタ、及び、同軸ケーブルの内側導体及び外側導体を、同軸ケーブルコネクタに設けられた互いに絶縁された接続端子及び導電性のシェルに夫々接続された状態とするケーブル接続方法に関する。
【背景技術】
【０００２】
複数の電気部品，電気装置あるいは電子機器間における信号伝送には、ノイズの影響を受けにくい信号伝送路を形成する、内部導体とそれを絶縁体を介して包囲する外部導体とが絶縁被覆されて成る同軸ケーブルが用いられることが多い。このような同軸ケーブルにあっては、他のケーブルとの接続が必要とされる状態がしばしば生じる。同軸ケーブルを他のケーブルと接続する際には、同軸ケーブルの内側導体を他のケーブルの導体に接続するとともに、同軸ケーブルの外側導体を、例えば、接地電位点に接続することになるが、このような接続を行うための装置として、同軸ケーブルコネクタが知られている。
【０００３】
このような同軸ケーブルコネクタは、同軸ケーブルの一端との接続がなされて、他のケーブルの導体との接続がなされたレセプタクルコネクタ等に連結されるものとされる。即ち、同軸ケーブルコネクタは、同軸ケーブルについての一種の中継装置としての役割を果たす。
【０００４】
従来提案されている同軸ケーブルコネクタとして、同軸ケーブルの内側導体をカシメて当該内側導体との電気的接続状態を形成する舌片を有した金属製のソケットと、ソケットが挿入される嵌合凹部が設けられた絶縁材料製のブッシングと、ブッシングが挿入される筒状部が設けられた金属製のハウジングとを備えて構成されるものがある（例えば、特許文献１参照。）。
【０００５】
この従来の提案に係る同軸ケーブルコネクタにあっては、同軸ケーブルの内側導体にそれをカシメることによりソケットが取り付けられ、そのソケットがブッシングに設けられた嵌合凹部に挿入され、さらに、ブッシングがハウジングに設けられた筒状部に挿入される。そして、ソケットがブッシングに設けられた嵌合凹部に挿入され、そのブッシングがハウジングに設けられた筒状部に挿入されたもとで、ブッシングが有する折曲部及びハウジングが有する折曲部が、ブッシングの折曲部がソケットを覆い、そのブッシングの折曲部をハウジングの折曲部が覆うようにして、折り重ねられる。ハウジングの折曲部には、カシメ部が形成されており、折り曲げられたハウジングの折曲部におけるカシメ部が、同軸ケーブルの外側導体に接続されるとともに、同軸ケーブルを絶縁被覆の外側からカシメる。それにより、同軸ケーブルの内側導体がソケットに接続されるとともに、同軸ケーブルの外側導体がハウジングに接続されて、同軸ケーブルの同軸ケーブルコネクタに対する接続がなされる。
【０００６】
また、斯かる従来の同軸ケーブルコネクタに伴う、それに対する同軸ケーブルの接続にカシメ作業が要されること等に起因する作業性の観点からの問題を、効果的に解決できるものとされる、別タイプの同軸ケーブルコネクタも、本願の出願人により既に提案されている（例えば、特許文献２参照。）。斯かる本願の出願人により既に提案された同軸ケーブルコネクタは、固定部とそれから伸びる折曲部を有した導電性の接続端子と、折曲部を有して接続端子を支持する絶縁部と、折曲部を有して絶縁部を支持する導電性のシェルとを備えて構成される。そして、接続端子が絶縁部により支持され、その絶縁部がシェルにより支持されたもとで、同軸ケーブルの内側導体を接続端子の固定部に対応する位置に配して、接続端子の折曲部，絶縁部の折曲部及びシェルの折曲部を折り重ねることにより、同軸ケーブルの内側導体が固定部と折曲部とにより挟持されて接続端子に接続される状態を維持できるとともに、シェルの折曲部が同軸ケーブルの外側導体に接続される状態を得ることができる。それにより、本願の出願人により既に提案された同軸ケーブルコネクタによれば、同軸ケーブルの同軸ケーブルコネクタへの接続を、煩雑な作業を要することなく、良好な作業性をもって行うことができることになる。
【０００７】
【特許文献１】特開平１１−３０７１８９号公開明細書及び図面（第３〜４頁及び図１〜図３）      特開２００２−３２４６３６号公開明細書及び図面（第３〜４頁及び図１〜図７）
【発明の開示】
【発明が解決しようとする課題】
【０００８】
上述のような従来提案されている同軸ケーブルコネクタにあっては、本願の出願人により既に提案された同軸ケーブルコネクタにあっても、以下に述べられるような、さらに改善が施されることが望まれる事柄が存在する。
【０００９】
例えば、本願の出願人により既に提案されたような同軸ケーブルコネクタの場合、図１３に示されるように、同軸ケーブル１０の同軸ケーブルコネクタ３０への接続がなされるにあたっては、同軸ケーブルコネクタ３０において、接続端子１３が絶縁部１６により支持され、さらに、絶縁部１６がシェル２０により支持されたもとで、先ず、同軸ケーブル１０の内側導体１１の先端側部分１１ａが、同軸ケーブルコネクタ３０における接続端子１３の固定部１４に対応する位置に配される。その際、同軸ケーブル１０の内側導体１１は、接続端子１３を支持する絶縁部１６における支持部１７によって支えられる。
【００１０】
このとき、絶縁部１６における支持部１７により支えられる同軸ケーブル１０の内側導体１１は、より詳細には、図１３における XIV-XIV線断面をあらわす図１４に示されるように、絶縁部１６における支持部１７に設けられた溝状部１８内に配される。この同軸ケーブル１０の内側導体１１は、複数の細導線が縒り合わされて成るもの、あるいは、複数の細導線が、縒り合わされることなく、集められて成るものとされる。それゆえ、同軸ケーブル１０の内側導体１１を形成する複数の細導線も一部が、溝状部１８からその外部にはみ出してしまう事態が生じ得る。取り分け、昨今の電子機器の小型化に伴うそれに用いられる同軸ケーブルコネクタ３０の小型化により、絶縁部１６における支持部１７に設けられた溝状部１８が極めて小とされる場合には、その虞が大となる。
【００１１】
そして、同軸ケーブル１０の内側導体１１を形成する複数の細導線も一部が溝状部１８からその外部にはみ出したもとで、図１５に示されるように、接続端子１３の折曲部１５，絶縁部１６の折曲部１９及びシェル２０の折曲部２１が折り重ねられる比較的簡単な作業が行われると、同軸ケーブル１０の内側導体１１が、その先端部１１ａが接続端子１３における固定部１４と折り曲げられた折曲部１５とにより挟持されて、接続端子１３に接続される状態とされ、その状態が、接続端子１３の折り曲げられた折曲部１５を押圧する絶縁部１６の折り曲げられた折曲部１９、さらには、その折り曲げられた折曲部１９を押圧するシェル２０の折り曲げられた折曲部２１によって維持される。また、このとき、シェル２０の折り曲げられた折曲部２１が、同軸ケーブル１０の外側導体１２に接続されるものとされる。
【００１２】
このように、同軸ケーブル１０の内側導体１１の先端部１１ａが接続端子１３における固定部１４と折り曲げられた折曲部１５とにより挟持されるにあたり、図１５における XVI-XVI線断面をあらわす図１６に示されるように、絶縁部１６における支持部１７に設けられた溝状部１８からはみ出した同軸ケーブル１０の内側導体１１を形成する複数の細導線の一部が、絶縁部１６の折り曲げられた折曲部１９による押圧を受けずに、溝状部１８の外部に逃れるものとなってしまう。そのため、同軸ケーブル１０の内側導体１１が、その先端部１１ａが接続端子１３における固定部１４と折り曲げられた折曲部１５とにより挟持されて、接続端子１３に接続される状態が、適正に得られなくなり、同軸ケーブル１０の同軸ケーブルコネクタ３０への接続が、確実でない不安定なものとされてしまう虞がある。そして、同軸ケーブル１０の同軸ケーブルコネクタ３０への接続が、確実でない不安定なものとされると、斯かる同軸ケーブル１０及び同軸ケーブルコネクタ３０が用いられた電子機器に、正しい動作が行われなくなってしまう不都合が生じる。
【００１３】
斯かる点に鑑み、本願の特許請求の範囲に記載された発明は、折曲部を有した接続端子部材と、折曲部を有して接続端子部材を支持する絶縁ハウジング部材と、折曲部を有して絶縁ハウジング部材を支持するシェル部材とを備えて構成されるもとで、同軸ケーブルの接続がなされるにあたり、比較的簡単な作業をもって、同軸ケーブルの内側導体の接続端子部材への接続が適正に行われ、同軸ケーブルの接続が確実かつ安定なものとされることになる同軸ケーブルコネクタ、及び、折曲部を有した接続端子部材と、折曲部を有して接続端子部材を支持する絶縁ハウジング部材と、折曲部を有して絶縁ハウジング部材を支持するシェル部材とを備えて構成される同軸ケーブルコネクタに、同軸ケーブルの内側導体の接続端子部材への接続が適正に行われるように、同軸ケーブルを確実かつ安定に接続することができる同軸ケーブル接続方法に関する。
【課題を解決するための手段】
【００１４】
本願の特許請求の範囲における請求項１から請求項７までのいずれかに記載された発明に係る同軸ケーブルコネクタ（以下、本発明に係る同軸ケーブルコネクタという。）は、第１の折曲部を有し、その第１の折曲部が折り曲げられた状態をもって、同軸ケーブルの内側導体との接続がなされる接続端子部材と、第２の折曲部を有して接続端子部材を支持し、第２の折曲部が第１の折曲部に重なって折り曲げられる絶縁ハウジング部材と、第３の折曲部を有して絶縁ハウジング部材を支持し、第３の折曲部が第２の折曲部に重なって折り曲げられた状態をもって、第２の折曲部に第１の折曲部に重なって折り曲げられた状態を維持させるとともに、同軸ケーブルの外側導体との接続がなされるシェル部材とを備えて構成され、絶縁ハウジング部材が、接続端子部材との接続がなされる同軸ケーブルの内側導体を支える支持部と、その支持部により支えられた同軸ケーブルの内側導体を間に位置させる一対の案内部と、を有するものとされる。
【００１５】
また、本願の特許請求の範囲における請求項８から請求項１２までのいずれかに記載された発明に係る同軸ケーブル接続方法（以下、本発明に係る同軸ケーブル接続方法という。）においては、先ず、固定部及びそれから伸びる第１の折曲部を有した接続端子部材と、同軸ケーブルの内側導体に対する支持部及び一対の案内部と第２の折曲部とを有して接続端子部材を支持する絶縁ハウジング部材と、第３の折曲部を有して絶縁ハウジング部材を支持するシェル部材とを備えた同軸ケーブルコネクタを用意する。そして、そのうえで、同軸ケーブルの内側導体に、絶縁ハウジング部材における一対の案内部の間に位置して支持部により支えられるとともに、先端側部分が接続端子部材の固定部に対応する位置に配される状態をとらせる。続いて、接続端子部材の第１の折曲部，絶縁ハウジング部材の第２の折曲部及びシェル部材の第３の折曲部を、第１の折曲部に第２の折曲部が重なり、さらに、第２の折曲部に第３の折曲部が重なる状態をもって折り曲げて、一対の案内部の間に位置して支持部により支えられた同軸ケーブルの内側導体の先端側部分を、接続端子部材における固定部と折り曲げられた第１の折曲部とにより挟持して、同軸ケーブルの内側導体に接続端子部材との接続状態をとらせるとともに、折り曲げられたシェル部材の第３の折曲部に同軸ケーブルの外側導体との接続状態をとらせるものとされる。
【００１６】
上述の本発明に係る同軸ケーブルコネクタにあっては、接続端子部材を支持する絶縁ハウジング部材が、接続端子部材との接続がなされる同軸ケーブルの内側導体を支える支持部と、その支持部により支えられた同軸ケーブルの内側導体を間に位置させる一対の案内部とを備えたものとされる。そして、同軸ケーブルの内側導体の接続端子部材との接続がなされる際には、先ず、同軸ケーブルの内側導体が、一対の案内部の間に位置する状態をもって支持部により支持され、接続端子部材に対応する位置に配されるものとされる。このようなもとで、接続端子部材の第１の折曲部，絶縁ハウジング部材の第２の折曲部及びシェル部材の第３の折曲部が、第１の折曲部に第２の折曲部が重なり、さらに、第２の折曲部に第３の折曲部が重なる状態をもって折り曲げられる。それにより、一対の案内部の間に位置して支持部により支えられた同軸ケーブルの内側導体が、例えば、その先端側部分が接続端子部材に設けられた固定部と第１の折曲部とにより挟持されて、第１の折曲部が折り曲げられた接続端子部材に接続され、また、その第１の折曲部に重なって折り曲げられた絶縁ハウジング部材の第２の折曲部が、それに重なって折り曲げられたシェル部材の第３の折曲部により折曲状態を維持するものとされるとともに、折り曲げられたシェル部材の第３の折曲部が同軸ケーブルの外側導体との接続状態におかれる。
【００１７】
また、本発明に係る同軸ケーブル接続方法にあっては、接続端子部材と絶縁ハウジング部材とシェル部材とを備え、その絶縁ハウジング部材が同軸ケーブルの内側導体に対する支持部と一対の案内部とを有するものとされた同軸ケーブルコネクタに対して、同軸ケーブルの内側導体が、絶縁ハウジング部材における一対の案内部の間に位置して支持部により支えられるとともに、その先端側部分が接続端子部材の固定部に対応する位置に配される状態におかれたもとで、接続端子部材の第１の折曲部，絶縁ハウジング部材の第２の折曲部及びシェル部材の第３の折曲部が、第１の折曲部に第２の折曲部が重なり、さらに、第２の折曲部に第３の折曲部が重なる状態をもって折り曲げられる。それにより、一対の案内部の間に位置して支持部により支えられた同軸ケーブルの内側導体の先端側部分が、接続端子部材における固定部と折り曲げられた第１の折曲部とにより挟持されて、同軸ケーブルの内側導体が接続端子部材に接続されるとともに、折り曲げられたシェル部材の第３の折曲部が同軸ケーブルの外側導体との接続状態におかれて、同軸ケーブルの同軸ケーブルコネクタとの接続がなされる。
【００１８】
なお、上述の本発明に係る同軸ケーブルコネクタ及び本発明に係る同軸ケーブル接続方法のいずれにあっても、接続端子部材の第１の折曲部，絶縁ハウジング部材の第２の折曲部及びシェル部材の第３の折曲部が、第１の折曲部に第２の折曲部が重なり、さらに、第２の折曲部に第３の折曲部が重なる状態をもって折り曲げられるとき、絶縁ハウジング部材に設けられた一対の案内部は、必要に応じて、折り曲げられた絶縁ハウジング部材の第２の折曲部によって押圧され、例えば、絶縁ハウジング部材に設けられた支持部に対して変位する状態，第２の折曲部の折曲方向に直交する方向に折り開かれる状態、あるいは、第２の折曲部の折曲方向に直交する方向に折り閉じられる状態をとるものとされる。それにより、絶縁ハウジング部材に設けられた一対の案内部が、接続端子部材の第１の折曲部，絶縁ハウジング部材の第２の折曲部及びシェル部材の第３の折曲部の夫々の適正な折曲げの妨げとなる事態が回避される。
【発明の効果】
【００１９】
このような本発明に係る同軸ケーブルコネクタあるいは本発明に係る同軸ケーブル接続方法によれば、同軸ケーブルの同軸ケーブルコネクタとの接続がなされるにあたり、同軸ケーブルの内側導体が、絶縁ハウジング部材における一対の案内部の間に位置して支持部により支えられるとともに、その先端側部分が接続端子部材に対応する位置に配される状態におかれたもとで、接続端子部材の第１の折曲部が折り曲げられ、それにより、一対の案内部の間に位置して支持部により支えられた同軸ケーブルの内側導体が、例えば、その先端側部分が接続端子部材に設けられた固定部と第１の折曲部とによって挟持されて、第１の折曲部が折り曲げられた接続端子部材に接続される。
【００２０】
このようにして、同軸ケーブルの内側導体が、絶縁ハウジング部材における一対の案内部の間に位置して支持部により支えられたものとされて、第１の折曲部が折り曲げられた接続端子部材に接続されることにより、その同軸ケーブルの内側導体が、複数の細導線が縒り合わされて成るもの、あるいは、複数の細導線が、縒り合わされることなく、集められて成るものとされるもとにあっても、一対の案内部の間に位置することにより、例えば、それを形成する複数の細導線の一部が支持部からその外部にはみ出してしまう事態を生じることなく、支持部により適正に支持されるものとされる。そして、同軸ケーブルの内側導体が支持部により適正に支持されたもとで、接続端子部材の第１の折曲部が折り曲げられて、同軸ケーブルの内側導体が第１の折曲部が折り曲げられた接続端子部材に接続されるので、同軸ケーブルの内側導体の接続端子部材との接続が適正かつ確実に行われる。
【００２１】
なお、絶縁ハウジング部材に設けられた一対の案内部は、必要に応じて、接続端子部材の第１の折曲部，絶縁ハウジング部材の第２の折曲部及びシェル部材の第３の折曲部が折り曲げられるとき、折り曲げられた絶縁ハウジング部材の第２の折曲部によって押圧され、例えば、絶縁ハウジング部材に設けられた支持部に対して変位する状態，第２の折曲部の折曲方向に直交する方向に折り開かれる状態、あるいは、第２の折曲部の折曲方向に直交する方向に折り閉じられる状態をとるものとされて、接続端子部材の第１の折曲部，絶縁ハウジング部材の第２の折曲部及びシェル部材の第３の折曲部の夫々の適正な折曲げの妨げとならないようにされるので、第１の折曲部が折り曲げられて行われる同軸ケーブルの内側導体の接続端子部材との接続が適正かつ確実に行われる状態が担保される。
【００２２】
従って、本発明に係る同軸ケーブルコネクタを用いるとき、あるいは、本発明に係る同軸ケーブル接続方法を実施するときには、例えば、カシメ作業等を必要としない、比較的簡単な作業をもって、同軸ケーブルの内側導体の接続端子部材への接続を適正かつ確実に行うことができ、その結果、同軸ケーブルを同軸ケーブルコネクタに確実かつ安定に接続することができることになる。
【発明を実施するための最良の形態】
【００２３】
本発明を実施するための最良の形態は、以下に述べられる本発明についての実施例をもって説明される。
【実施例１】
【００２４】
以下に、本発明に係る同軸ケーブルコネクタの例、及び、それが用いられて実施される本発明に係る同軸ケーブル接続方法の例が、図１から図１２が参照されて説明される。
【００２５】
図１は、本発明に係る同軸ケーブルコネクタの一例を、分解されて主要構成要素が個別に分離された状態をもって示す。この例は、主要構成要素として、同軸ケーブル４０の内側導体４１との接続がなされる接続端子部材５１，接続端子部材５１を支持する絶縁ハウジング部材５２及び絶縁ハウジング部材５２を支持する支持するシェル部材５３を備えている。
【００２６】
シェル部材５３は、例えば、金属材料により全体が一体的に形成されて、導電性を呈するものとされる。そして、シェル部材５３は、円筒状部５４を有しており、この円筒状部５４の内部に絶縁ハウジング部材５２の主要部を収容して、絶縁ハウジング部材５２を支持する。円筒状部５４の外周部には、図示されていないレセプタクルコネクタとの連結がなされる係合部５５が設けられている。また、円筒状部５４の一端からは折曲部５６が伸びており、折曲部５６には、それが折り曲げられたとき同軸ケーブル４０の外側導体４２との接続がなされる接続部５６ａが形成されている。
【００２７】
絶縁ハウジング部材５２は、例えば、合成樹脂とされる絶縁材料により全体が一体的に形成される。そして、絶縁ハウジング部材５２は、収容孔部５７が形成された基部５８を有しており、この基部５８に形成された収容孔部５７に接続端子部材５１の主要部を収容して、接続端子部材５１を支持する。また、基部５８の一端からは折曲部５９が伸びており、折曲部５９は全体として平板状部をなすものとされている。
【００２８】
さらに、絶縁ハウジング部材５２の基部５８には、収容孔部５７を間に位置させて折曲部５９に対向する位置に、接続端子部材５１との接続がなされる同軸ケーブル４０の内側導体４１を支える役割を果たす支持部６０と、支持部６０により支えられた同軸ケーブル４０の内側導体４１を間に位置させる一対の案内部６１及び６２が設けられている。一対の案内部６１及び６２の夫々は、支持部６０の位置から、折曲部５９の基部５８の一端からの立上り方向に突出するものとされている。
【００２９】
支持部６０と案内部６１とは両者間に形成されたスリット６３により分離されており、また、支持部６０と案内部６２とは両者間に形成されたスリット６４により分離されている。そして、支持部６０と一対の案内部６１及び６２の夫々は、基部５８に設けられた連結部６５によって相互連結されている。
【００３０】
案内部６１における連結部６５との連結部分の近傍には、スリット６３が伸びる方向に直交する方向に伸びる溝部６６が形成されており、それにより、案内部６１は、溝部６６が形成された部位に肉薄部分を有することになり、折曲部５９の基部５８の一端からの立上り方向とは逆の方向には比較的容易に変位できるものとされている。案内部６２における連結部６５との連結部分の近傍にも、スリット６３が伸びる方向に直交する方向に伸びる溝部６６に相当する溝部（図にはあらわれていない）が形成されており、それにより、案内部６２も、その溝部が形成された部位に肉薄部分を有することになり、折曲部５９の基部５８の一端からの立上り方向とは逆の方向には比較的容易に変位できるものとされている。
【００３１】
接続端子部材５１は、例えば、金属材料により全体が一体的に形成されて、導電性を呈するものとされる。そして、接続端子部材５１は、絶縁ハウジング部材５２の基部５８に設けられた収容孔部５７に収容されて固定される固定部６７を有しており、固定部６７からは、折曲部６８と一対の接点部６９及び７０とが伸びている。折曲部６８は、固定部６７が収容孔部５７に収容されたとき、絶縁ハウジング部材５２における折曲部５９の基部５８の一端からの立上り方向と略同方向をもって、絶縁ハウジング部材５２の基部５８の外方に伸びる。一方、一対の接点部６９及び７０の夫々は、固定部６７が収容孔部５７に収容されたとき、収容孔部５７内を、絶縁ハウジング部材５２における折曲部５９の基部５８の一端からの立上り方向とは逆の方向に伸びる。
【００３２】
一対の接点部６９及び７０は、シェル部材５３における円筒状部５４に設けられた係合部５５が、図示されていないレセプタクルコネクタに連結されるとき、当該レセプタクルコネクタにおける信号伝達導体（中心導体）に係合して、それとの電気的接続状態をとる。また、折曲部６８は、全体的には平板状部をなすものとされているが、その一部には、同軸ケーブル４０の内側導体４１が固定部６７に対応する位置に配されたもとで、折曲部６８の全体が固定部６７側に折り曲げられるとき、同軸ケーブル４０の内側導体４１を固定部６７とで挟持することになる挟持係合部７１が形成されている。
【００３３】
上述の接続端子部材５１，絶縁ハウジング部材５２及びシェル部材５３は、接続端子部材５１が、その主要部が絶縁ハウジング部材５２の基部５８に設けられた収容孔部５７に収納されて、絶縁ハウジング部材５２により支持され、さらに、接続端子部材５１を支持した絶縁ハウジング部材５２が、その主要部がシェル部材５３の円筒状部５４内に収納されて、シェル部材５３により支持されたものとされて、本願発明に係る同軸ケーブルコネクタの一例を成す同軸ケーブルコネクタ５０を構成する。このように同軸ケーブルコネクタ５０を構成する接続端子部材５１，絶縁ハウジング部材５２及びシェル部材５３は、接続端子部材５１とシェル部材５３とが絶縁ハウジング部材５２によって相互に絶縁される関係にある。
【００３４】
そして、同軸ケーブルコネクタ５０にあっては、図２及び図２における III-III線断面をあらわす図３に示されるように、同軸ケーブル４０の内側導体４１が接続端子部材５１の固定部６７に対応する位置に配されたもとで、接続端子部材５１の折曲部６８，絶縁ハウジング部材５２の折曲部５９及びシェル部材５３の折曲部５６が、折曲部６８に折曲部５９が重なり、さらに、折曲部５９に折曲部５６が重なる状態をもって折り曲げられる。このようにして、接続端子部材５１の折曲部６８，絶縁ハウジング部材５２の折曲部５９及びシェル部材５３の折曲部５６が折り曲げられると、接続端子部材５１において、同軸ケーブル４０の内側導体４１の先端側部分４１ａが固定部６７と挟持係合部７１が形成された折曲部６８とによって挟持され、同軸ケーブル４０の内側導体４１が接続端子部材５１に接続される状態がとられる。
【００３５】
このとき、その先端側部分４１ａが接続端子部材５１の固定部６７と折曲部６８とによって挟持される同軸ケーブル４０の内側導体４１は、絶縁ハウジング部材５２に設けられた一対の案内部６１及び６２の間に位置するものとされて、絶縁ハウジング部材５２に設けられた支持部６０により支えられた状態におかれる。それにより、同軸ケーブル４０の内側導体４１が、一対の案内部６１及び６２による案内を受けて、例えば、その一部が支持部６０からその外部にはみ出してしまう事態を生じることなく、支持部６０により適正に支持されるものとされる。そして、同軸ケーブル４０の内側導体４１が支持部６０により適正に支持されたもとで、その先端側部分４１ａが接続端子部材５１の固定部６７と折曲部６８とによって挟持されるので、同軸ケーブル４０の内側導体４１の接続端子部材５１との接続が適正かつ確実に行われる。
【００３６】
なお、接続端子部材５１の折曲部６８，絶縁ハウジング部材５２の折曲部５９及びシェル部材５３の折曲部５６が折り曲げられるとき、図２に示されるように、絶縁ハウジング部材５２に設けられた一対の案内部６１及び６２（６２は図２にはあらわれていない）が、折り曲げられた絶縁ハウジング部材５２の折曲部５９により押圧されて、絶縁ハウジング部材５２に設けられた支持部６０に対して、折曲部５９の基部５８の一端からの立上り方向とは逆の方向に変位する。このとき、案内部６１に形成された溝部６６及び案内部６２に形成された溝部６６に相当する溝部が、斯かる変位を容易にする。そして、このような案内部６１及び６２の変位により、案内部６１及び６２が、接続端子部材５１の折曲部６８，絶縁ハウジング部材５２の折曲部５９及びシェル部材５３の折曲部５６の夫々の適正な折曲げの妨げとなる事態が回避される。
【００３７】
また、接続端子部材５１の折曲部６８，絶縁ハウジング部材５２の折曲部５９及びシェル部材５３の折曲部５６が折り曲げられたもとにあっては、絶縁ハウジング部材５２の折曲部５９に重なって折り曲げられたシェル部材５３の折曲部５６が、絶縁ハウジング部材５２の折曲部５９に、接続端子部材５１の折曲部６８に重なって折り曲げられた状態を維持させるとともに、それに形成された接続部５６ａが同軸ケーブル４０の外側導体４２との接続状態をとるものとされ、同軸ケーブル４０の外側導体４２がシェル部材５３に接続される。このようにして、同軸ケーブル４０の内側導体４１が接続端子部材５１に接続されるとともに、同軸ケーブル４０の外側導体４２がシェル部材５３に接続されて、同軸ケーブル４０の同軸ケーブルコネクタ５０との接続がなされることになる。
【００３８】
上述の同軸ケーブルコネクタ５０に同軸ケーブル４０を接続するにあたって、本発明に係る同軸ケーブル接続方法の一例を実施する際には、先ず、同軸ケーブルコネクタ５０を用意する。そして、図４及び図４における V-V線断面をあらわす図５に示されるように、同軸ケーブル４０の内側導体４１を、絶縁ハウジング部材５２に設けられた一対の案内部６１及び６２の間に位置するものとして、絶縁ハウジング部材５２に設けられた支持部６０により支えられるとともに、その先端側部分４１ａが、接続端子部材５１の固定部６７に対応する位置に配される状態におく。このとき、支持部６０により支えられるものとされる同軸ケーブル４０の内側導体４１を、一対の案内部６１及び６２の案内を受けて、例えば、その一部が支持部６０からその外部にはみ出してしまう事態を生じることなく、支持部６０により適正に支持されるものとなす。
【００３９】
次に、接続端子部材５１の折曲部６８，絶縁ハウジング部材５２の折曲部５９及びシェル部材５３の折曲部５６を、折曲部６８に折曲部５９が重なり、さらに、折曲部５９に折曲部５６が重なる状態として、図４において矢印αにより示される方向に折り曲げる。それにより、図６に示されるように、接続端子部材５１において、同軸ケーブル４０の内側導体４１の先端側部分４１ａが、固定部６７と挟持係合部７１が形成された折曲部６８とによって挟持され、同軸ケーブル４０の内側導体４１が接続端子部材５１に接続される状態となす。
【００４０】
続いて、接続端子部材５１の折曲部６８，絶縁ハウジング部材５２の折曲部５９及びシェル部材５３の折曲部５６を、さらに折り曲げて、前述の図２及び図３に示される状態となす。それにより、接続端子部材５１において、同軸ケーブル４０の内側導体４１の先端側部分４１ａが、固定部６７と挟持係合部７１が形成された折曲部６８とによってより強固に挟持されて、同軸ケーブル４０の内側導体４１の接続端子部材５１との接続がより確実になるようにし、さらに、絶縁ハウジング部材５２の折曲部５９に重なって折り曲げられたシェル部材５３の折曲部５６が、絶縁ハウジング部材５２の折曲部５９に、接続端子部材５１の折曲部６８に重なって折り曲げられた状態を維持させるとともに、それに形成された接続部５６ａが、同軸ケーブル４０の外側導体４２との接続状態をとるものとなるようにする。折り曲げられたシェル部材５３の折曲部５６に形成された接続部５６ａを、同軸ケーブル４０の外側導体４２との接続状態におくことは、同軸ケーブル４０の外側導体４２をシェル部材５３に接続することになる。
【００４１】
なお、このとき、絶縁ハウジング部材５２に設けられた一対の案内部６１及び６２（６２は図２にはあらわれていない）を、折り曲げた絶縁ハウジング部材５２の折曲部５９により押圧して、絶縁ハウジング部材５２に設けられた支持部６０に対して、折曲部５９の基部５８の一端からの立上り方向とは逆の方向に変位させる。それにより、案内部６１及び６２が、接続端子部材５１の折曲部６８，絶縁ハウジング部材５２の折曲部５９及びシェル部材５３の折曲部５６の夫々の適正な折曲げの妨げとなる事態が回避される。
【００４２】
このようにして、同軸ケーブル４０の内側導体４１を接続端子部材５１に接続するとともに、同軸ケーブル４０の外側導体４２をシェル部材５３に接続し、同軸ケーブル４０が同軸ケーブルコネクタ５０に接続された状態を得る。その際、同軸ケーブル４０の内側導体４１が支持部６０により適正に支持されたもとで、その先端側部分４１ａが接続端子部材５１の固定部６７と折曲部６８とによって挟持されることになるので、同軸ケーブル４０の内側導体４１の接続端子部材５１との接続を適正かつ確実に行うことができる。
【実施例２】
【００４３】
図７及び図７における VIII-VIII線断面をあらわす図８は、本発明に係る同軸ケーブルコネクタの他の例を示す。斯かる図７及び図８に示される例は、同軸ケーブルコネクタ８０を構成している。この同軸ケーブルコネクタ８０は、その大部分が図１〜図６に示される同軸ケーブルコネクタ５０と同様に構成されるものとされている。それゆえ、図７及び図８において、同軸ケーブルコネクタ５０と同様に構成された部分は、図１〜図６と共通の符号を付して示し、それらについての重複説明は省略される。
【００４４】
図７及び図８に示される同軸ケーブルコネクタ８０にあっては、絶縁ハウジング部材５２に、同軸ケーブルコネクタ５０における一対の案内部６１及び６２に代わる、一対の案内部８１及び８２が設けられている。案内部８１は、その先端側部分が、溝部８３を介して設けられた折曲部８１ａとされており、また。案内部８２は、その先端側部分が、溝部８４を介して設けられた折曲部８２ａとされている。その他の構成は、同軸ケーブルコネクタ５０と同様である。
【００４５】
そして、同軸ケーブルコネクタ８０にあっては、同軸ケーブル４０の内側導体４１が接続端子部材５１の固定部６７に対応する位置に配されたもとで、接続端子部材５１の折曲部６８，絶縁ハウジング部材５２の折曲部５９及びシェル部材５３の折曲部５６が、折曲部６８に折曲部５９が重なり、さらに、折曲部５９に折曲部５６が重なる状態をもって、図７における矢印αにより示される方向に折り曲げられて、図９及び図９における X-X線断面をあらわす図１０に示される状態がとられる。斯かるもとでは、同軸ケーブルコネクタ５０の場合と同様に、接続端子部材５１において、同軸ケーブル４０の内側導体４１の先端側部分４１ａが、固定部６７と挟持係合部７１が形成された折曲部６８とによって挟持されて、同軸ケーブル４０の内側導体４１が接続端子部材５１に接続され、さらに、絶縁ハウジング部材５２の折曲部５９に重なって折り曲げられたシェル部材５３の折曲部５６が、絶縁ハウジング部材５２の折曲部５９に、接続端子部材５１の折曲部６８に重なって折り曲げられた状態を維持させるとともに、それに形成された接続部５６ａが同軸ケーブル４０の外側導体４２との接続状態をとり、同軸ケーブル４０の外側導体４２がシェル部材５３に接続される。それにより、同軸ケーブル４０の同軸ケーブルコネクタ５０との接続がなされる。
【００４６】
そして、接続端子部材５１の折曲部６８，絶縁ハウジング部材５２の折曲部５９及びシェル部材５３の折曲部５６が折り曲げられるとき、図９及び図１０に示されるように、絶縁ハウジング部材５２に設けられた一対の案内部８１及び８２が、折り曲げられた絶縁ハウジング部材５２の折曲部５９により押圧されて、案内部８１の折曲部８１ａ及び案内部８２の折曲部８２ａが、絶縁ハウジング部材５２に設けられた支持部６０の外方側に折り開かれるものとされる。このとき、案内部８１に形成された溝部８３及び案内部８２に形成された溝部８４が、案内部８１の折曲部８１ａ及び案内部８２の折曲部８２ａの折開き変形を容易にしている。そして、このような案内部８１の折曲部８１ａ及び案内部８２の折曲部８２ａの折開き変形により、案内部８１及び８２が、接続端子部材５１の折曲部６８，絶縁ハウジング部材５２の折曲部５９及びシェル部材５３の折曲部５６の夫々の適正な折曲げの妨げとなる事態が回避される。
【００４７】
このような同軸ケーブルコネクタ８０によっても、前述の同軸ケーブルコネクタ５０により得られる作用効果と同様な作用効果が得られる。
【００４８】
上述の同軸ケーブルコネクタ８０に同軸ケーブル４０を接続するにあたって、本発明に係る同軸ケーブル接続方法の他の例を実施する際には、先ず、同軸ケーブルコネクタ８０を用意するが、その他の手順は、前述の同軸ケーブルコネクタ５０に同軸ケーブル４０を接続するにあたって実施する本発明に係る同軸ケーブル接続方法の例の場合と同様である。そして、斯かる際には、絶縁ハウジング部材５２に設けられた一対の案内部８１及び８２を、折り曲げた絶縁ハウジング部材５２の折曲部５９により押圧して、案内部８１の折曲部８１ａ及び案内部８２の折曲部８２ａが、絶縁ハウジング部材５２に設けられた支持部６０の外方側に折り開かれるものとする。それにより、案内部８１及び８２が、接続端子部材５１の折曲部６８，絶縁ハウジング部材５２の折曲部５９及びシェル部材５３の折曲部５６の夫々の適正な折曲げの妨げとなる事態が回避される。
【実施例３】
【００４９】
図１１は、本発明に係る同軸ケーブルコネクタのさらに他の例を示す。斯かる図１１に示される例は、同軸ケーブルコネクタ９０を構成している。この同軸ケーブルコネクタ９０も、その大部分が図１〜図６に示される同軸ケーブルコネクタ５０と同様に構成されるものとされている。それゆえ、図１１において、同軸ケーブルコネクタ５０と同様に構成された部分は、図１〜図６と共通の符号を付して示し、それらについての重複説明は省略される。
【００５０】
図１１に示される同軸ケーブルコネクタ９０にあっては、絶縁ハウジング部材５２に、同軸ケーブルコネクタ５０における一対の案内部６１及び６２に代わる、一対の案内部９１及び９２が設けられている。案内部９１は、その先端側部分が、溝部９３を介して設けられた折曲部９１ａとされ、さらに、スリット６３の近傍となる部分に溝部９４が形成されたものとされている。また、案内部９２は、その先端側部分が、溝部９５を介して設けられた折曲部９２ａとされ、さらに、スリット６４の近傍となる部分に溝部９６が形成されたものとされている。その他の構成は、同軸ケーブルコネクタ５０と同様である。
【００５１】
そして、同軸ケーブルコネクタ９０にあっては、同軸ケーブル４０の内側導体４１が接続端子部材５１の固定部６７に対応する位置に配されたもとで、接続端子部材５１の折曲部６８，絶縁ハウジング部材５２の折曲部５９及びシェル部材５３の折曲部５６が、折曲部６８に折曲部５９が重なり、さらに、折曲部５９に折曲部５６が重なる状態をもって、図４における矢印αにより示される方向に相当する方向に折り曲げられて、図１２に示される状態がとられる。斯かるもとでは、同軸ケーブルコネクタ５０の場合と同様に、接続端子部材５１において、同軸ケーブル４０の内側導体４１の先端側部分４１ａが、固定部６７と挟持係合部７１が形成された折曲部６８とによって挟持されて、同軸ケーブル４０の内側導体４１が接続端子部材５１に接続され、さらに、絶縁ハウジング部材５２の折曲部５９に重なって折り曲げられたシェル部材５３の折曲部５６が、絶縁ハウジング部材５２の折曲部５９に、接続端子部材５１の折曲部６８に重なって折り曲げられた状態を維持させるとともに、それに形成された接続部５６ａが同軸ケーブル４０の外側導体４２との接続状態をとり、同軸ケーブル４０の外側導体４２がシェル部材５３に接続される。それにより、同軸ケーブル４０の同軸ケーブルコネクタ５０との接続がなされる。
【００５２】
そして、接続端子部材５１の折曲部６８，絶縁ハウジング部材５２の折曲部５９及びシェル部材５３の折曲部５６が折り曲げられるとき、図１２に示されるように、絶縁ハウジング部材５２に設けられた一対の案内部９１及び９２が、折り曲げられた絶縁ハウジング部材５２の折曲部５９により押圧されて、案内部９１の折曲部９１ａ及び案内部９２の折曲部９２ａが、絶縁ハウジング部材５２に設けられた支持部６０側に折り閉じられるものとされる。このとき、案内部９１に形成された溝部９３及び９４と案内部９２に形成された溝部９５及び９６とが、案内部９１の折曲部９１ａ及び案内部９２の折曲部９２ａの折閉じ変形を容易にしている。そして、このような案内部９１の折曲部９１ａ及び案内部９２の折曲部９２ａの折閉じ変形により、案内部９１及び９２が、接続端子部材５１の折曲部６８，絶縁ハウジング部材５２の折曲部５９及びシェル部材５３の折曲部５６の夫々の適正な折曲げの妨げとなる事態が回避される。
【００５３】
このような同軸ケーブルコネクタ９０によっても、前述の同軸ケーブルコネクタ５０により得られる作用効果と同様な作用効果が得られる。
【００５４】
上述の同軸ケーブルコネクタ９０に同軸ケーブル４０を接続するにあたって、本発明に係る同軸ケーブル接続方法のさらに他の例を実施する際には、先ず、同軸ケーブルコネクタ９０を用意するが、その他の手順は、前述の同軸ケーブルコネクタ５０に同軸ケーブル４０を接続するにあたって実施する本発明に係る同軸ケーブル接続方法の例の場合と同様である。そして、斯かる際には、絶縁ハウジング部材５２に設けられた一対の案内部９１及び９２を、折り曲げた絶縁ハウジング部材５２の折曲部５９により押圧して、案内部９１の折曲部９１ａ及び案内部９２の折曲部９２ａが、絶縁ハウジング部材５２に設けられた支持部６０側に折り閉じられるものとする。それにより、案内部９１及び９２が、接続端子部材５１の折曲部６８，絶縁ハウジング部材５２の折曲部５９及びシェル部材５３の折曲部５６の夫々の適正な折曲げの妨げとなる事態が回避される。
【産業上の利用可能性】
【００５５】
以上のような本発明に係る同軸ケーブルコネクタ及び同軸ケーブル接続方法は、それを用いることにより、比較的簡単な作業をもって、同軸ケーブルの内側導体の接続端子部材への接続を適正かつ確実に行うことができ、その結果、同軸ケーブルを同軸ケーブルコネクタに確実かつ安定に接続することができるものとして、各種のコネクタ装置あるいは電子機器等に広く適用され得るものである。
【図面の簡単な説明】
【００５６】
【図１】本発明に係る同軸ケーブルコネクタの一例を、分解されて主要構成要素が個別に分離された状態をもって示す分解斜視図である。
【図２】本発明に係る同軸ケーブルコネクタの一例を同軸ケーブルと共に示す断面図である。
【図３】図２における III-III線断面をあらわす断面図である。
【図４】本発明に係る同軸ケーブルコネクタの一例を同軸ケーブルと共に示す断面図である。
【図５】図４における V-V線断面をあらわす断面図である。
【図６】本発明に係る同軸ケーブルコネクタの一例を同軸ケーブルと共に示す断面図である。
【図７】本発明に係る同軸ケーブルコネクタの他の例を同軸ケーブルと共に示す断面図である。
【図８】図７における VIII-VIII線断面をあらわす断面図である。
【図９】本発明に係る同軸ケーブルコネクタの他の例を同軸ケーブルと共に示す断面図である。
【図１０】図９における X-X線断面をあらわす断面図である。
【図１１】本発明に係る同軸ケーブルコネクタのさらに他の例を同軸ケーブルの内側導体と共に示す断面図である。
【図１２】本発明に係る同軸ケーブルコネクタのさらに他の例を同軸ケーブルの内側導体と共に示す断面図である。
【図１３】従来の同軸ケーブルコネクタを同軸ケーブルと共に示す断面図である。
【図１４】図１３における XIV-XIV線断面をあらわす断面図である。
【図１５】従来の同軸ケーブルコネクタを同軸ケーブルと共に示す断面図である。
【図１６】図１５における XVI-XVI線断面をあらわす断面図である。
【符号の説明】
【００５７】
４０・・・同軸ケーブル，  ４１・・・内側導体，  ４２・・・外側導体，  ５０，８０，９０・・・同軸ケーブルコネクタ，  ５１・・・接続端子部材，  ５２・・・絶縁ハウジング部材，  ５３・・・シェル部材，  ５４・・・円筒状部，  ５５・・・係合部，  ５６，５９，６８，８１ａ，８２ａ，９１ａ，９２ａ・・・折曲部，  ５７・・・収容孔部，  ５８・・・基部，  ６０・・・支持部，  ６１，６２，８１，８２，９１，９２・・・案内部，  ６３，６４・・・スリット，  ６５・・・連結部，  ６６，８３，８４，９３，９４，９５，９６・・・溝部，  ６７・・・固定部，  ６９，７０・・・接点部，  ７１・・・挟持係合部
【図１】
2008004469.tif 000003
【図２】
2008004469.tif 000004
【図３】
2008004469.tif 000005
【図４】
2008004469.tif 000006
【図５】
2008004469.tif 000007
【図６】
2008004469.tif 000008
【図７】
2008004469.tif 000009
【図８】
2008004469.tif 000010
【図９】
2008004469.tif 000011
【図１０】
2008004469.tif 000012
【図１１】
2008004469.tif 000013
【図１２】
2008004469.tif 000014
【図１３】
2008004469.tif 000015
【図１４】
2008004469.tif 000016
【図１５】
2008004469.tif 000017
【図１６】
2008004469.tif 000018